(57)【特許請求の範囲】
【請求項１】
前後両壁と左右両側壁とから形成した下面閉塞の四角形状の周壁１で囲成する皿本体２内部に、皿本体後壁と左右両側壁の少なくとも一部とのそれぞれを、囲壁６の後壁５ｂと左右両側壁５ｃとのそれぞれに共用する皿収納室４を形成し、該皿収納室の後壁５ｂ前面から左右一対の縦棒７を前方突設すると共に、該縦棒前端部を左右方向の横棒８で連結して、横向きコ字形状の弾性押付け棒９を形成した化粧皿Ａと、
下面閉塞の四角形状の枠壁１１の前後両壁下部を切除して、左右方向の細長窓部１４を形成すると共に、枠壁１１上端から外向きフランジ１５を突設して、該外向きフランジ下面を上記皿収納室４の囲壁６上面へ係合させ、かつ、枠壁１１の後壁１３上部後面と皿収納室４の後壁５ｂ前面との間に小間隙Ｓをおいて枠壁１１を皿収納室４内へ嵌合させると共に、枠壁後壁１３に形成した上記細長窓部１４の上縁下面を上記横棒８の後半部上面へ係合させた中皿Ｂと、
左右幅が上記中皿Ｂの左右幅よりも小さい下面閉塞の四角形状の周壁１６の前後両壁外面のそれぞれの上下方向中間部に、壁面の左右方向全幅にわたって延びる係合凹溝１６ａを形成して、該周壁１６を上記中皿Ｂ内へ着脱自在に嵌合させると共に、係合凹溝１６ａ内へ上記横棒８を離脱可能に係合させた複数の交換皿Ｃと、
上記化粧皿Ａの後壁へ枢着させた、化粧皿上面を閉塞可能な開閉蓋Ｄとを有し、
上記横棒８の弾性力を、該横棒が、上記交換皿Ｃを中皿Ｂへ嵌合させることにより該交換皿の後壁下部後面へ係合して後方へ弾性変形し、かつ、上記中皿Ｂを後方へ押し付けることにより該中皿後壁後面が上記皿収納室４の後壁５ｂ前面へ当接可能に後方へ弾性変形する範囲に定めた、
ことを特徴とする化粧用コンパクト容器。
【発明の詳細な説明】
【０００１】
【発明の属する技術分野】
本発明は化粧用パウダ等を収容する化粧用コンパクト容器に関する。
【０００２】
【従来の技術】
例えば、実開昭６１−２０１６１３号に示すように、角形の化粧品皿の周壁の左右または前後の対峙した内面に横方向の係合突条を突設し、一方、化粧料を充填固化したドラムを、両端壁の下部を左右の縁を残して切欠いて空所とし、この空所部に弾性を有する係合ピンを横架した交換用皿に格納し、この交換用皿を、係合ピンを係合突条に係合させて交換可能に化粧品皿に格納した化粧用コンパクトが知られている。
【０００３】
【発明が解決しようとする課題】
上記のような化粧用コンパクトでは、中皿を用いることなく、交換用皿を直接、化粧品皿へ係合させているため、交換用皿の寸法を化粧品皿の寸法に一致させる必要があり、従って、交換皿の寸法選定の自由度が小さかった。
また、化粧用道具入れ収納室の形成により皿収納室のスペースが制限される場合や、皿収納室内に多数の交換用皿を収納する場合には、交換用皿の小型化を図る必要が生ずるが、こうした場合には交換用皿の取り外しが多少面倒になる。
さらに、交換に際しては、交換用皿を化粧品皿から直接取り外す必要があり、このため一度に複数の交換用皿を交換する場合は上記と相まって交換がより煩雑となる。
【０００４】
請求項１記載の化粧用コンパクト容器は、中皿を設け、かつ、中皿の細長窓部を介して弾性押付け棒を交換皿へ係合させることにより、交換皿の寸法選択の自由度を高めると共に、交換皿よりも大きい寸法の中皿の取り出しにより交換皿の交換を可能とすることによって交換皿の交換を容易にするものである。
【０００５】
【課題を解決するための手段】
第１の手段として、前後両壁と左右両側壁とから形成した下面閉塞の四角形状の周壁１で囲成する皿本体２内部に、皿本体後壁と左右両側壁の少なくとも一部とのそれぞれを、囲壁６の後壁５ｂと左右両側壁５ｃとのそれぞれに共用する皿収納室を形成し、該皿収納室の後壁５ｂ前面から左右一対の縦棒７を前方突設すると共に、該縦棒前端部を左右方向の横棒８で連結して、横向きコ字形状の弾性押付け棒９を形成した化粧皿Ａと、
下面閉塞の四角形状の枠壁１１の前後両壁下部を切除して、左右方向の細長窓部１４を形成すると共に、枠壁１１上端から外向きフランジ１５を突設して、該外向きフランジ下面を上記皿収納室の囲壁６上面へ係合させ、かつ、枠壁１１の後壁１３上部後面と皿収納室の後壁５ｂ前面との間に小間隙Ｓをおいて枠壁１１を皿収納室内へ嵌合させると共に、枠壁後壁１３に形成した上記細長窓部１４の上縁下面を上記横棒８の後半部上面へ係合させた中皿Ｂと、
左右幅が上記中皿Ｂの左右幅よりも小さい下面閉塞の四角形状の周壁１６の前後両壁外面のそれぞれの上下方向中間部に、壁面の左右方向全幅にわたって延びる係合凹溝１６ａを形成して、該周壁１６を上記中皿Ｂ内へ着脱自在に嵌合させると共に、係合凹溝１６ａ内へ上記横棒８を離脱可能に係合させた複数の交換皿Ｃと、
上記化粧皿Ａの後壁へ枢着させた、化粧皿上面を閉塞可能な開閉蓋Ｄとを有し、
上記横棒８の弾性力を、該横棒が、上記交換皿Ｃを中皿Ｂへ嵌合させることにより該交換皿の後壁下部後面へ係合して後方へ弾性変形し、かつ、上記中皿Ｂを後方へ押し付けることにより該中皿後壁後面が上記皿収納室の後壁５ｂ前面へ当接可能に後方へ弾性変形する範囲に定めた。
【０００６】
【発明の実施の形態】
以下、本発明の実施形態を図面を参照しながら説明する。
Ａは化粧皿で、長方形状の周壁１下面を底壁で閉塞して、前後両壁と左右両側壁とから囲成される皿本体２を形成し、該皿本体内を仕切壁３を介して前後に仕切って、皿本体２前部に化粧用道具等を収納する第１収納室４を、また、皿本体２後部に後述の中皿を収納する第２収納室５を、それぞれ形成する。
ここで第２収納室５に注目すると、その前壁５ａは仕切壁３が形成し、後壁５ｂは皿本体２後壁が形成し、左右両側壁５ｃは仕切壁３と皿本体２後壁との間の皿本体左右両側壁がそれぞれ形成する。そして、これら前壁５ａ、後壁５ｂ及び左右両側壁５ｃが  第２収納室５の囲壁６を形成する。
【０００７】
第２収納室５の後壁５ｂ前面から左右一対の縦棒７を前方突設すると共に、該横棒の前端を左右方向の横棒８で連結して、横向きコ字形状の弾性押付け棒９を形成する。
なお、上記に限らず第１収納室４を省略することも可能である。この場合には皿本体２前壁が第２収納室前壁５ａを形成する。
【０００８】
Ｂは中皿で、長方形状の枠壁１１下面を底板で閉塞すると共に、該枠壁の前壁１２と後壁１３とのそれぞれの下部を切除して、左右方向の細長窓部１４を形成する。また、枠壁１１上端から外向きフランジ１５を突設して、該外向きフランジ下面を第２収納室５の囲壁６上面へ載置させる。そして、枠壁１１の後壁１３上部後面と第２収納室５の後壁５ｂ前面との間に小間隙Ｓをおいて枠壁１１を第２収納室５内へ嵌合させると共に、枠壁１１の後壁１３に形成した細長窓部１４の上縁下面を横棒８の後半部上面へ係合させる。
【０００９】
Ｃは交換皿で、左右の幅が中皿Ｂの左右の幅よりも小さい長方形状の周壁１６下面を底壁で閉塞させると共に、周壁１６の前後両壁外面のそれぞれの上下方向中間部に、壁面の左右方向全幅にわたって延びる係合凹溝１６ａを形成する。そして、周壁１６を中皿Ｂ内へ着脱自在に嵌合させると共に、係合凹溝１６ａ内へ横棒８を離脱可能に係合させる。中皿Ｂ内へは複数の交換皿Ｃが嵌合可能である。
【００１０】
Ｄは開閉蓋で、皿本体２の後壁外面の左右方向中間部を横向きコ字形状に切り欠いて切欠部１７を形成して、該切欠部内に左右方向に延びる支持ピン１８を横架させると共に、該支持ピンに蓋体１９周壁の後壁を枢着させて、化粧皿Ａ上面を閉塞可能にしている。
【００１１】
なお、横棒８の弾性力は、該横棒が、交換皿Ｃを中皿Ｂへ嵌合させることにより該交換皿の後壁下部後面へ係合して後方へ弾性変形し、かつ、中皿Ｂを後方へ押し付けることにより該中皿後壁後面が第２収納室５の後壁前面へ当接し得るように後方へ弾性変形する範囲に定める。
【００１２】
次に本実施形態の作用について説明する。
交換皿Ｃを交換するには開閉蓋Ｄを開いた後、図１に示す状態から仕切壁３上面に位置する外向きフランジ１５に指をあてて中皿Ｂを、横棒８の弾性力に抗して後方へ押し付ければよく、すると横棒８が後方へ弾性変形して中皿Ｂの前壁１２前面が仕切壁３後面から離間して、中皿Ｂの後壁１３後面が皿本体２後壁前面へ当接する。次いで、上記外向きフランジ１５を持って中皿Ｂを持ち上げることにより中皿Ｂを皿本体２から取り出す。
【００１３】
中皿Ｂから交換皿Ｃを取り出すには、交換皿Ｃの前壁上端外面に爪を掛けて引き上げればよい。１つの交換皿Ｃを取り出した後は、中皿Ｂ内にスペースができるため、他の交換皿を中皿Ｂ内で左右方向へ摺動させることにより交換皿Ｃの左右側壁を持つことが可能になり容易に取り出すことができる。
もちろん中皿Ｂを化粧皿Ａから取り出すことなく嵌合させた状態で交換皿Ｃのみを取り出すことも可能である。
【００１４】
新旧交換皿の交換後、新品の交換皿Ｃを嵌合させた中皿Ｂを化粧皿Ａ内へ嵌合させるには、外向きフランジ１５後部を皿本体２後壁上面へ係合させた後、外向きフランジ１５前部を押し下げればよく、すると横棒８が係合凹溝１６ａ内に係合する。
【００１５】
【発明の効果】
請求項１記載の化粧用コンパクト容器は、化粧皿内へ嵌合可能な中皿を有するため、中皿の寸法に応じて交換皿の寸法を選択することができ、従って、交換皿の寸法選択の自由度が増大する。
また、交換皿の交換は、交換皿よりも寸法が大きい中皿を化粧皿から取り出して行えばよく、従って、交換皿を小型化せざるを得ない場合でも交換が容易である。
【００１６】
さらに、１つの交換皿を取り出した後は中皿内にスペースが生じるため、係合解除することなく他の交換皿の取り出しが可能であり、従って、交換すべき交換皿が複数でも迅速に交換することができる。
【図面の簡単な説明】
【図１】請求項１記載の発明に係る化粧用コンパクト容器の開閉蓋を除いた断面図。
【図２】同じく、中皿と交換皿とを化粧皿から取り出した状態を示す化粧用コンパクト容器の斜視図。
【符号の説明】
１  周壁
２  皿本体
４  皿収納室（第１収納室）
５ａ  前壁
５ｂ  後壁
５ｃ  左右側壁
６  囲壁
７  縦棒
８  横棒
９  弾性押付け棒
１１  枠壁
１２  前壁
１３  後壁
１４  細長窓部
１５  外向きフランジ
１６  周壁
１６ａ  係合凹溝
Ａ  化粧皿
Ｂ  中皿
Ｃ  交換皿
Ｄ  開閉蓋
Ｓ  小間隙
【図１】
0003761119.tif 000002
【図２】
0003761119.tif 000003